(57)【特許請求の範囲】
【請求項１】
挿入部から挿入されたカード媒体に記録されている情報を読取り、この読取られた情報に基づいて所定の取引を実行する自動取引装置において、
挿入部から挿入されたカード媒体の表面に記録された画像情報を読み取る読取手段と、
この読取手段で読み取られた画像情報の輪郭を抽出する抽出手段と、
前記読取手段により読み取られた画像情報並びに前記抽出手段にて抽出された輪郭画像を記録媒体に記録する記録手段と、
前記記録手段に対して、前記読取手段により読取られた画像情報を記録するか、または前記抽出手段により抽出された輪郭情報を記録するかを選択設定する第１の選択手段と、
前記読取手段により読み取られた画像情報並びに前記抽出手段にて抽出された輪郭情報を所定の用紙に印字する印字手段と、
前記印字手段に対して、前記読取手段により読取られた画像情報を印字するか、または前記抽出手段により抽出された輪郭情報を印字するかを選択設定する第２の選択手段と、
を具備したことを特徴とする自動取引装置。
【請求項２】
前記第１の選択手段は、前記記録手段に対して、前記読取手段により読取られた画像情報並びに前記抽出手段により抽出された輪郭情報のどちらも前記記録媒体に記録しないことを指示する第１の指示手段を具備することを特徴とする請求項１記載の自動取引装置。
【請求項３】
前記第２の選択手段は、前記印字手段に対して、前記読取手段により読取られた画像情報並びに前記抽出手段により抽出された輪郭情報のどちらも前記用紙に印字しないことを指示する第２の指示手段を具備することを特徴とする請求項１記載の自動取引装置。
【請求項４】
前記記録媒体に記録されている情報量を検知する第１の検知手段と、
前記記録手段の障害発生を検知する第２の検知手段と、
前記第１の選択手段にて前記記録手段に対して前記読取手段により読取られた画像情報又は前記抽出手段により抽出された輪郭情報を記録することを選択設定されている際に、前記第１の検知手段により前記記録媒体に記録されている情報量が所定の量以上であると検知された場合に、前記記録手段による前記記録媒体への情報の記録を中止し、前記印字手段により所定の用紙にこの情報を印字する第１の制御手段と、
前記第１の選択手段にて前記記録手段に対して前記読取手段により読取られた画像情報又は前記抽出手段により抽出された輪郭情報を記録することを選択設定されている際に、前記第２の検知手段により前記記録手段の障害発生を検知した場合に、前記印字手段により所定の用紙にこの情報を印字するように切り換え制御する第２の制御手段と、
をさらに具備したことを特徴とする請求項１記載の自動取引装置。
【請求項５】
前記印字手段により印字される用紙の量を検知する第３の検知手段と、
前記印字手段の障害発生を検知する第４の検知手段と、
前記第２の選択手段にて前記印字手段に対して前記読取手段により読取られた画像情報又は前記抽出手段により抽出された輪郭情報を用紙に印字することを選択設定されている際に、前記第３の検知手段により前記用紙の量が所定の量以下であると検知された場合に、前記印字手段による用紙への印字を中止し、前記記録手段により前記記録媒体にこの情報を記録する第３の制御手段と、
前記第２の選択手段にて前記印字手段に対して前記読取手段により読取られた画像又は前記抽出手段により抽出された輪郭情報を所定の用紙に印字することを選択設定されている際に、前記第４の検知手段により前記印字手段の障害発生を検知した場合に、前記印字手段による用紙への情報の印字を中止し、前記記録手段により前記記録媒体にこの情報を記録するように切り換え制御する第４の制御手段と、をさらに具備したことを特徴とする請求項１記載の自動取引装置。
【発明の詳細な説明】
【０００１】
【発明の属する技術分野】
本発明は、カードからエンボス情報やイメージ情報等を読み取り、記録する自動取引装置に関する。
【０００２】
【従来の技術】
銀行などの金融機関において、現金自動支払機や現金自動預出金機などの現金自動取引装置（以下、ＡＴＭという）の普及は目覚ましく、銀行営業店業務の７０％近くをＡＴＭで処理するまでに至っている。このようなＡＴＭやＰＯＳ等の領域では、キャッシュ・カードやクレジット・カードという形式での磁気カードが多用され、社会システムの利便性を実現している。
【０００３】
この種のカードを取り扱う機器システムにおいて重要なことは、偽造カードのような不適性なカードの使用を排除して、適正なカードが使用されたことを保証することにある。これに対して、従来より、カード表面にエンボスによる浮き出し文字を設け、これを取引時に装置で記録伝票に感圧記録し、これを保存しておくという方法がとられている。しかしながら、この感圧記録方法によると伝票とカードとを機械的に圧接させなければならず、装置の構造が複雑になるという問題がある。
【０００４】
これに対して、最近発達しつつあるＣＣＤによる画像記録方式を活用した自動取引装置が提案されている。この方式の装置ではカードに非接触でエンボスの画像を撮影し、これを伝票に印字するようになっている。
【０００５】
【発明が解決しようとする課題】
このように電子的なエンボス記録の方式であると、紙に記録を残すのではなく、ハードディスクのような電子的記憶装置にこれを蓄積することが可能となり、日時／口座／金額といった取引にかかわるキャラクターデータとともに、エンボスのイメージデータをもワンセットにして記録することができる。このような記録を「電子ジャーナル」という。
【０００６】
電子ジャーナルは、大容量の記憶ができ、しかも紙でない（ペーパレス）ので、保管がきわめて簡単であり、また、電子データであるので、整理したり並べ替えたり等の後処理が容易というメリットがでてきている。
【０００７】
図４に示すように、磁気カードＣの表面には口座番号等が読み書き可能な形で記録された磁気ストライプＣ１と、裏側から型を押し出すことにより図７に示すように文字等を浮き彫りにしたエンボスＣ２とが表示されている。一般に装置でのエンボスＣ２の記録範囲は枠で囲った領域Ｃ３の内側であり、方式によって、次の２つの異なる記録形式がとられている。
【０００８】
第１の方式は、［輪郭記録方式］で図中の領域Ｃ４に示すように、カード表面の画像から、エンボスの輪郭のみを抽出し、他の表面の絵柄を消してしまうものである。
【０００９】
第２の方式は［画面イメージ記録方式］で図中の領域Ｃ５に示すように、エンボスの輪郭だけでなく、カード表面に印刷されている他の絵柄等のイメージもそのまま記録するものである。
【００１０】
上記第１の記録方式はエンボス文字を読みやすいという特徴をもつ。一方、第２の記録方式はエンボス情報だけでなくカードの他の特徴も記録されるので、自行／他行の区別を目視で確認しやすいという特徴をもつ。
【００１１】
ここで、紙にだけアウトプットするのであれば、両者のうちのどちらの方式を採用してもよいが、電子ジャーナルの場合は、第１の方式と第２の方式とでは、記録しうるデータ量が大幅に違うために、保管できる容量に大きな差がでてくるという問題点がある。
【００１２】
本発明は上記課題を解決するためになされたものであって、比較的簡単な構成で上記の［輪郭記録方式］と［画面イメージ記録方式］の両記録方式の利点を生かすことができ、かつ、電子ジャーナルの蓄積可能取引件数を増大することができる取引カードのエンボス記録の方式選択システムをもつ自動取引装置を提供することを目的とする。
【００１３】
【課題を解決するための手段】
本発明に係る自動取引装置は、挿入部から挿入されたカード媒体に記録されている情報を読取り、この読取られた情報に基づいて所定の取引を実行する自動取引装置において、挿入部から挿入されたカード媒体の表面に記録された画像情報を読み取る読取手段と、この読取手段で読み取られた画像情報の輪郭を抽出する抽出手段と、前記読取手段により読み取られた画像情報並びに前記抽出手段にて抽出された輪郭画像を記録媒体に記録する記録手段と、前記記録手段に対して、前記読取手段により読取られた画像情報を記録するか、または前記抽出手段により抽出された輪郭情報を記録するかを選択設定する第１の選択手段と、前記読取手段により読み取られた画像情報並びに前記抽出手段にて抽出された輪郭情報を所定の用紙に印字する印字手段と、前記印字手段に対して、前記読取手段により読取られた画像情報を印字するか、または前記抽出手段により抽出された輪郭情報を印字するかを選択設定する第２の選択手段と、を具備することを特徴とする。
【００１４】
この場合に、第１の選択手段は、記録手段に対して、読取手段により読取られた画像情報並びに抽出手段により抽出された輪郭情報のどちらも記録媒体に記録しないことを指示する第１の指示手段を具備することが望ましい。
【００１５】
また、第２の選択手段は、印字手段に対して、読取手段により読取られた画像情報並びに抽出手段により抽出された輪郭情報のどちらも用紙に印字しないことを指示する第２の指示手段を具備することが望ましい。
【００１６】
さらに、前記記録媒体に記録されている情報量を検知する第１の検知手段と、前記記録手段の障害発生を検知する第２の検知手段と、前記第１の選択手段にて前記記録手段に対して前記読取手段により読取られた画像情報又は前記抽出手段により抽出された輪郭情報を記録することを選択設定されている際に、前記第１の検知手段により前記記録媒体に記録されている情報量が所定の量以上であると検知された場合に、前記記録手段による前記記録媒体への情報の記録を中止し、前記印字手段により所定の用紙にこの情報を印字する第１の制御手段と、前記第１の選択手段にて前記記録手段に対して前記読取手段により読取られた画像情報又は前記抽出手段により抽出された輪郭情報を記録することを選択設定されている際に、前記第２の検知手段により前記記録手段の障害発生を検知した場合に、前記印字手段により所定の用紙にこの情報を印字するように切り換え制御する第２の制御手段と、を備えている。
【００１７】
さらに、前記印字手段により印字される用紙の量を検知する第３の検知手段と、
前記印字手段の障害発生を検知する第４の検知手段と、
前記第２の選択手段にて前記印字手段に対して前記読取手段により読取られた画像情報又は前記抽出手段により抽出された輪郭情報を用紙に印字することを選択設定されている際に、前記第３の検知手段により前記用紙の量が所定の量以下であると検知された場合に、前記印字手段による用紙への印字を中止し、前記記録手段により前記記録媒体にこの情報を記録する第３の制御手段と、
前記第２の選択手段にて前記印字手段に対して前記読取手段により読取られた画像又は前記抽出手段により抽出された輪郭情報を所定の用紙に印字することを選択設定されている際に、前記第４の検知手段により前記印字手段の障害発生を検知した場合に、前記印字手段による用紙への情報の印字を中止し、前記記録手段により前記記録媒体にこの情報を記録するように切り換え制御する第４の制御手段と、をさらに具備することが望ましい。
【００１８】
なお、記録媒体としては、光記録媒体、磁気記録媒体、又は半導体メモリのうちから適合するものを選択することが好ましい。
［輪郭記録方式］を選択すると、後はすべて指定どうりの記録方式になる。一方、［画面イメージ記録方式］を選択すると、次にジャーナル用紙に残量があるか否かを判断し、ジャーナル用紙に残量がある場合は、通常は電子ジャーナルには［画面イメージ記録方式］による記録がなされ、ジャーナル印字される。なお、ジャーナル用紙に残量がある場合であっても、エンボス輪郭のみを抽出することによりデータを圧縮し、［輪郭記録方式］により記録してもよい。
【００１９】
一方、ジャーナル用紙の残量がなくなり、印字をしない状態での記録だけになると、［輪郭記録方式］によるデータ圧縮がなされる。このように［輪郭記録方式］により第２の領域から得られる情報量は圧縮されているので少ない。これに対して［画面イメージ記録方式］により第２の領域から得られる情報は目視で見えるそのままの情報データであるので多量である。
【００２０】
【発明の実施の形態】
以下、添付の図面を参照しながら本発明の好ましい実施の形態について説明する。
図１は、金融機関の営業店に設置され、預金の受払いをセルフサービス的に実行する自動取引装置（ＡＴＭ）を示す外観斜視図である。ＡＴＭ１の前面側は操作面として用いられるようになっている。ＡＴＭ１は略水平な面、略垂直な面、および水平面と垂直面との間に上向き傾斜して設けられた面の３つの操作面を備えている。
【００２１】
ＡＴＭ１の本体内部には取引を実行するための各種モジュールが実装されている。各種モジュールのうち紙幣入出金部２では入金紙幣の受取り計数、収納、および指定金額の支払いを実行するようになっている。紙幣は操作面に設けられた出入口３を介して出し入れされるようになっている。各種モジュールのうち硬貨入出金部４では硬貨の受け払いを実行するようになっている。硬貨は操作面に設けられた出入口５を介して出し入れされるようになっている。
【００２２】
通帳プリンタ６はＡＴＭ１の上部に設けられ、受け入れた通帳の磁気ストライプから口座番号等を読み取り、この口座に対応する取引の記録を印字する機能を持っている。通帳は操作面に設けられた出入口７を介して出し入れされるようになっている。
【００２３】
カードリーダ／レシート部８は、受け入れた磁気カードから口座番号を読み取り、これに対応する暗唱番号とのマッチングを行い、本人確認をしたり、通帳を持参しない利用者に対して、取引の記録をレシートとして印字発行する機能を持つものである。カードは操作面に設けられた出入口９を介して出し入れされるようになっている。
【００２４】
主制御部１０は電源（図示せず）及び接客制御部（図示せず）を周辺に備えている。主制御部１０のＣＰＵ４１は、係員操作パネル１０２を介して遠隔するホストコンピュータとオンラインでデータを交換しうるように接続されている。主制御部１０のメモリには各種の取引を実行制御するためのプログラムが収納されている。主制御部ＣＰＵ４１は入力信号に応じてプログラムを選択し、それに従って情報の授受、演算、記憶、伝送等を実行するようになっている。主制御部ＣＰＵ４１は接客制御部を介してタッチパネル１１及び図示しないハンドセット、ビデオカメラ、音声案内部、並びに係員呼出しボタンに接続されている。さらに、主制御部１０の出力側は上記の紙幣入出金部２，硬貨入出金部４，通帳プリンタ６，カード／レシート部８に接続され、これらの機構の動作をそれぞれ制御しうるようになっている。
【００２５】
また利用者の操作面には、その表面に接触することにより入力ができるタッチパネル１１が設けられている。タッチパネル１１はカラー液晶表示装置１２を備えている。液晶表示装置１２はタッチパネル１１の下面に対向して設けられている。この液晶表示装置１２は、取引のステップに応じて、必要な案内文言と、キーボードと、を表示するものであり、このキーボードに対向するタッチパネル１１に指を触れることによって当該キー入力が実現できるようになっている。
【００２６】
ハンドセットは、利用者と遠隔する係員との音声による通信を行うための送話器と受話器とを備えている。ビデオカメラ装置はＣＣＤ撮像素子等から構成される小型のカメラを備えている。音声案内装置は小型のスピーカを備えている。係員呼出し用ボタンは係員控室のブザー及びランプに接続されている。
【００２７】
ＡＴＭ本体の上部背面に扉１０１が開閉可能に取り付けられ、扉１０１には係員操作パネル１０２が嵌め込まれている。この係員操作パネル１０２は、後方に待機している係員が所定の初期設定データをＡＴＭ主制御部１０のＣＰＵ４１に入力するために用いられる。
【００２８】
次に、図２を参照しながら本発明の中心の構成要素であるカードリーダ・レシートプリンタ８とこれに関連する周辺回路について説明する。
カードリーダ・レシートプリンタ８は、カードリーダ１３、ジャーナルプリンタ１４、レシートプリンタ１５および、図中ではプリンタ８とは別に図示したが実質はプリンタ８に内蔵されたユニット制御部１６を備えている。
【００２９】
まずカードリーダ１３は、カード入口９から挿入される磁気カードＣを受入れ、それをローラ対１７で内部に搬送し、中央の磁気ヘッド１８で磁気ストライプＣ１のデータを読み取り及び書き込みするものであり、さらに後方に搬送すると、ＬＥＤ１９とＣＣＤ２０等で構成されるイメージリーダ２１が搬送されるカードＣのエンボスエリアＣ３の画像イメージを取り込むようになっている。
【００３０】
なお、入口近傍には、シャッタ２２が設けられ、カードを受け入れるべきときのみ開放し、カードが既に入ってるときには、他のカードの挿入を防止する働きをしている。
【００３１】
このカードリーダ１３の機能によって、利用者の持参する磁気カードの口座番号を読み取り、別に入力する暗証番号とのマーチングをとることにより、利用者の認証をするとともに、カードが確かに受け入れられたというエンボス記録をとることができるようになっている。
【００３２】
ジャーナルプリンタ１４は、円筒状の感熱記録式ジャーナル用紙２３をセットし、これをローラ対２４で搬送し、その途中のサーマル印字ヘッド２５で、取引の記録（取引日時、口座番号、取引種目、取引金額、等の文字データと、カードのエンボスデータ）を印字し、それを巻き取り軸２６に巻き取るようになっている。
【００３３】
レシートプリンタ１５は、感熱記録式ジャーナル用紙２７をセットし、これをローラ対２８で搬送し、その途中のサーマル印字ヘッド２５で、利用者への取引記録控えとしてのデータを印字し、印字後カッタ２９で、１つの取引分の長さにカットして、これをベルト３０で搬送し、カード出入口９から放出するものである。なお、利用者が所定時間経過後であってもレシートを抜き取らない場合は搬送ベルトを逆転して、取り忘れレシートを回収箱３１に回収し、これに保管するようになっている。
【００３４】
ユニット制御部１６は、各回路や機構が、予め定められたプログラムによって動作するようにユニット制御ＣＰＵ３２によってコントロールされるものである。このＣＰＵ３２はプログラムを記憶しておくプログラムメモリ３３を備えている。
【００３５】
次に、エンボスデータの記録に関わる回路について説明する。なお、ここでエンボスデータというときは、エンボスＣ２の輪郭データの他にカード面に表示されているあらゆるイメージデータをも含んでいる。
【００３６】
まずイメージリーダ２１のＣＣＤ２０で読み取られたカードＣの画像イメージは、Ａ／Ｄコンバータ３４によりＡ／Ｄ変換される。次いでシェージング補正回路３５で、ＬＥＤ１９の周辺光量の不足バラツキによるイメージデータの変動を補正する。さらに、イメージデータは次のガンマ補正回路３６によりガンマ補正される。
【００３７】
ガンマ補正された２次元のイメージデータは、選択回路４９によって次の中間調処理回路３９または輪郭抽出回路３７に振り分けられ、いったんは選択的に処理されるが、さらに各処理後にクロスオーバーして印字バッファ３８及び／又は送受信バッファ４０に送られる。
【００３８】
第１に中間調処理回路３９においては、オリジナルのイメージを残したまま、エンボスの輪郭部分のみの黒データを強調して、画像イメージにエンボスが埋もれないようにする。このデータを印字バッファ３８に送り込み、他のキャラクタデータとともに印字用に編集した上で、これをジャーナルプリンタ１４の印字ヘッド２５で印字する。図６にここで印字されるＣ５の［画面イメージ記録］を示す。
【００３９】
第２に輪郭抽出回路３７においては、エンボスＣ２の輪郭部分の黒データを強調した上で、他のカード面の画像の中間トーンを消去し、黒のビット量を削減する。これが［輪郭記録］のデータとなり、そのデータ量は［画面イメージ記録］のそれの約１／１０に圧縮される。この圧縮データをいったんは送受信バッファに蓄積し、これを主制御部１０へ送信する。
【００４０】
主制御部１０のＣＰＵ４１には、内部データ入力用としてインターフェイス４４を介して送受信バッファ４０が接続され、初期設定するための外部データ入力用として係員操作パネル１０２の回路が接続されている。ＣＰＵ４１は、係員操作パネル１０２を用いて係員が入力した初期設定入力データに基づいて、ＲＡＭ４２とハードディスク４３に記録されたプログラム情報によってＡＴＭ全体の動作を制御するようになっている。ここでは内部伝送インターフェイス４４を介して受けた画像データを他の取引記録キャラクタデータとともに取引ごとに区分して電子ジャーナルとして使われるＭＯ装置４５に蓄積していくようになっている。ＭＯ装置４５は、着脱可能な光磁気ディスクから記録情報を読み取り、または情報を書き込むものであり、他のパソコン等でデータ検索できるものである。
【００４１】
次に、図２，図３，図８，図９を参照しながら上記の処理回路の動作について説明する。
本発明のポイントは、エンボスデータをその情報量に応じて輪郭記録方式と画面イメージ記録方式との間で切り換えることにより２つの記録方式を任意に組み合わせて、ＡＴＭ１を種々の記録方式で動作させうるところにある。図８は各種記録方式による記録パターンを説明するためのテーブル図である。図８に示すように、記録方式の組み合わせには８種類のパターンＡＡ，ＡＢ，ＡＣ，ＢＡ，ＢＢ，ＢＣ，ＣＡ，ＣＢがある。
【００４２】
これらのうちいずれの記録方式を選択するかについては、まず最初に利用者とＡＴＭ１との間で取引する以前の前提条件として、係員は係員操作パネル１０２に所定の初期設定データを入力することによりＡＴＭ１を起動するときの初期設定操作を行なう（工程Ｓ１）。初期設定操作において係員は、その意図に応じて［ジャーナル／ディスク併用記録方式］，［ジャーナル主記録／ディスク補助記録方式］，［ジャーナル補助記録／ディスク主記録方式］のうちからいずれか１つを選択する（工程Ｓ２）。
【００４３】
どの記録方式を選択した場合であっても、ジャーナル部及びディスク部の容量不足や障害によって所定の記録ができないときは自動的に記録方式を変更しうるようになっている。
【００４４】
［ジャーナル／ディスク併用記録方式］（以下、（１）方式と略記する）を選択すると、ジャーナル部では画面イメージを印字記録する一方で、パターンＡＡのときはイメージがディスクに記録され、パターンＡＢ，ＢＢのときは輪郭がディスクに記録され、パターンＡＣのときはディスクに記録されない（工程Ｓ３）。この（１）方式では処理済みデータは印字バッファ３８と送受信バッファ４０とにそれぞれ送られ、ジャーナル記録とディスク記録とがまったく同時並行的に実行される。
【００４５】
［ジャーナル主記録／ディスク補助記録方式］（以下、（２）方式と略記する）を選択すると、ジャーナル部での印字記録が主となり、ディスク記録は補助的になされる（工程Ｓ４）。パターンＡＣのときは画面イメージが印字記録され、パターンＢＣのときは輪郭が印字記録される。この（２）方式では、いずれのパターンにおいてもディスクには原則として記録されないが、ジャーナル部の容量が不足したり、これに障害が生じたりすると（工程Ｓ７）、自動的に後述の記録方式（３）に変更してディスク記録される（工程Ｓ１０）。さらに、ディスクの容量が不足したり、これに障害が生じたりすると（工程Ｓ１１）、装置を休止させ（工程Ｓ１２）、動作を終了する。
【００４６】
［ジャーナル補助記録／ディスク主記録方式］（以下、（３）方式と略記する）を選択すると、ディスク記録が主となり、ジャーナル部での印字記録は補助的になされる（工程Ｓ５）。パターンＣＡのときは画面イメージがディスク記録され、パターンＣＢのときは輪郭がディスク記録される。この（３）方式では、いずれのパターンにおいても原則として印字記録されないが、ディスクの容量が不足したり、これに障害が生じたりすると（工程Ｓ８）、自動的に記録方式（２）に変更してジャーナル印字記録される（工程Ｓ９）。
【００４７】
記録方式を選択すると、後はすべて指定どうりの記録方式になる（工程Ｓ６）。このとき図９に示すように、日付、口座番号、取引種目、取出し金種、エンボスイメージ等の通常項目の他にパターンＡＢ〜ＣＢも印字記録される。なお、図９はジャーナル記録フォーマットの一部を示す図である。
【００４８】
ところで、［画面イメージ記録方式］を選択すると、次にジャーナル用紙に残量があるか否かを判断する。ジャーナル用紙に残量がある場合は、通常は電子ジャーナルには［画面イメージ記録方式］による記録がなされ、ジャーナル印字される。なお、ジャーナル用紙に残量がある場合であっても、データを圧縮し、ＭＯ装置４５には［輪郭記録方式］により記録することもできる。
【００４９】
一方、ジャーナル用紙の残量がなくなり、印字をしない状態でＭＯ装置４５への記録だけになると、［輪郭記録］方式によるデータ圧縮がなされる。このように［輪郭記録方式］により領域Ｃ４から得られる情報量は圧縮されているので少ないが、［画面イメージ記録］方式により領域Ｃ５から得られる情報量はあるがままであるので多量である。
【００５０】
なお、上記実施例では磁気カードを処理する場合について説明したが、本発明はこれのみに限られるものではなく、ＩＣカードや他の取引用記録媒体であっても、媒体にエンボスが付されたものについては適用可能である。
【００５１】
【発明の効果】
本発明によれば、比較的簡単な構成により、エンボスのイメージ記録の仕方を選択することができるとともに、データの圧縮によって電子ジャーナルの蓄積可能取引件数を増大することができる。
【００５２】
本発明の装置によれば、エンボスイメージ記録のみでは処理できないような多量のデータを大容量の電子ジャーナルやディスクに圧縮蓄積することが可能になるため、ペーパーレスの取り扱いとなりデータの保管が容易になり、また、電子データであるので、整理したり並べ替えたりする等の後処理が容易になる。
【図面の簡単な説明】
【図１】ＡＴＭの一部を切り欠いて内部及び操作面を示す外観斜視図。
【図２】本発明に係る自動取引装置を示すブロック回路図。
【図３】カードからエンボス情報等を読み取り記録する方法をフローチャート。
【図４】カードを示す全体平面図。
【図５】カードエンボス部分を示す平面図。
【図６】画面イメージを付加したカードエンボス部分を示す平面図。
【図７】エンボス部分の縦断面図。
【図８】各種記録方式による記録パターンを説明するためのテーブル図。
【図９】ジャーナル記録フォーマットの一部を示す部分図。
【符号の説明】
Ｃ…カード、Ｃ１…磁気ストライプ、Ｃ２…エンボス、
８…カードリーダ・レシートプリンタ、９…カード出入口、
１０…主制御部、１３…カードリーダ、１４…ジャーナルプリンタ、
１５…レシートプリンタ、１６…ユニット制御部、１８…磁気ヘッド、
１９…ＬＥＤ、２０…ＣＣＤ、２１…イメージリーダ、２２…シャッタ、
２５…サーマル印字ヘッド、３４…Ａ／Ｄコンバータ、３５…シェージング補正回路、３６…ガンマ補正回路、３７…輪郭抽出回路、３８…印字バッファ、
３９…中間調処理回路、４０…送受信バッファ、
４１…ＣＰＵ、４４…内部伝送インターフェース、
４５…ＭＯ装置、４９…選択回路、
１０２…係員操作パネル。
【図１】
0003719754.tif 000002
【図２】
0003719754.tif 000003
【図３】
0003719754.tif 000004
【図４】
0003719754.tif 000005
【図５】
0003719754.tif 000006
【図６】
0003719754.tif 000007
【図７】
0003719754.tif 000008
【図８】
0003719754.tif 000009
【図９】
0003719754.tif 000010